(57)【要約】      （修正有）【課題】高密度多層光記録再生に適し、迷光などを除去し安定してサーボの印加及び記録信号の再生が可能な光情報記録再生装置及び記録媒体を提供する。【解決手段】ガイドトラックのある複数のトラック層及び記録層からなる記録媒体に情報を記録再生する光情報記録再生装置において、トラック層にサーボを印加するための第１ビーム発生機構と前記トラック層の上下にある記録再生層に記録再生を行うための第２ビーム発生機構とを備え、前記第１ビームを発生させる第１光源からの光を記録媒体に照射する第１光学系と、フォーカストラック制御機構とからなり、フォーカストラック制御は第１光学系内の第１ピンホールを通した光ビームで行い、前記第２ビーム発生機構は第２光源と、該第２光源からの光を記録媒体に照射する第２光学系と、光スポットの位置制御装置とからなり、第２光学系内に配置された第２ピンホールを通した光ビームで光信号を検出した。【選択図】  図２
2006260669.tif 000002
【特許請求の範囲】
【請求項１】
ガイドトラックを設けた複数のトラック層及び記録層からなる記録媒体に情報を記録し、また記録された情報を再生する光情報記録再生装置において、
前記トラック層にサーボを印加するための第１ビーム発生機構と前記トラック層の上下にある記録再生層に記録再生を行うための第２ビーム発生機構とを備え、
前記第１ビーム発生機構は、第１光源と、該第１光源から出射した光を光スポットとして記録媒体に照射する第１光学系と、フォーカストラック制御機構とからなり、フォーカストラック制御は前記第１光学系内に配置された第１ピンホールを通した光ビームで行い、
前記第２ビーム発生機構は第２光源と、該第２光源から出射した光を光スポットとして記録媒体に照射する第２光学系と、光スポットの位置制御装置とからなり、第２光学系内に配置された第２ピンホールを通した光ビームで光信号を検出することを特徴とする光情報記録再生装置。
【請求項２】
前記第２ビーム発生装置において、前記第２光源に対して光学的に共焦な位置から僅かに光軸上を互いに前後した位置に２つの第２ピンホールを配置した焦点誤差検出信号検出手段を備え、第２ビーム発生機構の光スポット位置制御を行ったことを特徴とする請求項１記載の光情報記録再生装置。
【請求項３】
前記第２ビーム発生装置に収差補整手段を備えたことを特徴とする請求項１又は２記載の光情報記録再生装置。
【請求項４】
前記第１光源と第２光源の波長を異ならしめ、波長分別手段を用いて第１光源からのビームと第２光源からのビームとを結合及び分離することを特徴とする請求項１、２又は３記載の光情報記録再生装置。
【請求項５】
前記第２ビーム発生機構において、前記第２ビーム発生装置からの光スポットを記録媒体の記録層に対して直交する方向に移動させ、該記録媒体からの反射光の変化から記録層数をカウントするレンズ駆動制御及びカウンタ機構を備えたことを特徴とする請求項１乃至４の何れか一項に記載の光情報記録再生装置。
【請求項６】
前記第１ビーム発生機構において、フォーカシング誤差信号の検出手段として非点収差法を用いたことを特徴とする請求項１乃至５の何れか一項に記載の光情報記録再生装置。
【請求項７】
前記トラック層の上下にある記録再生層に記録再生を行うための第３ビーム発生機構を備え、該第３ビーム発生機構は第３光源と、該第３光源から出射した光を光スポットとして記録媒体に照射する第３光学系と、光スポットの位置制御装置とからなり、第３光学系内に配置された第３ピンホールを通した光ビームで光信号を検出したことを特徴とする請求項１乃至６の何れか一項に記載の光情報記録再生装置。
【請求項８】
ガイドトラックを設けた１層のトラック層及び複数の記録層からなる積層構造を基本単位とし、該基本単位の構造が多段に積層されて構成されていることを特徴とする記録媒体。
【請求項９】
前記記録媒体のトラック層の反射率を記録層の反射率に対して高く設定したことを特徴とする請求項８の記録媒体。
【発明の詳細な説明】
【技術分野】
【０００１】
本発明は光情報記録再生装置及び記録媒体に関し、特に多層式光ディスクの光情報記録再生装置及びの利用効率を高くすることができる記録媒体に関する。
【背景技術】
【０００２】
大容量・高密度記憶、非接触の記録再生、アクセスの容易さ等の見地から、光ディスク等の光記録媒体が注目され、急速に普及してきている。特に近年は記憶容量の増大を図るため、トラックピッチを狭くして記録線密度を上げたり、或いは記録層を多層化する等の手段が採られている。
これらのうち、記録層の多層化に関するものとしては、特許第２８３５０７４号に開示されたものがあり、これは少なくとも３層の記録面を重ねあわせた構造の光記録媒体に対し、データの記録再生を行う多層式光ディスク装置において、記録面の少なくとも一つに設けられたトラッキング用の固定情報に基づいてトラッキングを行い、該固定情報が設けられた記録面とは異なる記録面上でデータの記録再生を行ったのち、該データをトラッキング情報としてトラッキングを行い、上記した各記録面とは異なる記録面上でデータの記録再生を行うことが可能な光ピックアップが開示されている。すなわち、この先行技術ではトラッキング用の固定情報を設けた記録面をデータの記録再生用としても用いるとともに、他の記録面上においてもデータの記録再生を行うため、記録面の数だけデータの記録再生できる面を確保することができ、光ディスクの大容量化を図るものである。
また、他の先行技術としては、特開２００１−１６７４５３公報に開示されたものがあり、これにはサーボ用ガイドトラックの再生層に対してフォーカス及びトラックサーボを掛ける第１ビームと、この第１ビームに対して相対的に多層式光情報記録媒体の深さ方向に焦点位置を変えることで複数のデータ記録／再生層にビーム焦点を結び、データ記録／再生を行う第２ビームとにより多層記録層に情報の記録再生を行う装置が開示されている。
さらに、特開平５−１３５４０１号公報では対物レンズに入射する光ビームの直径を対物レンズの有効径より小さくして光ディスク上に照射し、該光ディスクからの反射光を前記対物レンズの有効径と略等しい有効径を有する収束レンズにより収束させ、その焦点位置にピンホールを配置し、ピンホールを通過した光を光検出器により検出して信号を得る光ピックアップが開示されている。
【特許文献１】特許第２８３５０７４号
【特許文献２】特開２００１−１６７４５３公報
【特許文献３】特開平５−１３５４０１号公報
【発明の開示】
【発明が解決しようとする課題】
【０００３】
しかしながら、特許文献１及び２は所定の記録層にトラッキング情報を記録し、該トラッキング情報を用いて他の記録層の記録再生する方式であり、トラッキング情報を含む層の数を減らせるため、多層記録媒体の構成が簡単になるという利点を有すが、多層構造の光ディスクにおいては、高密度化のために、各層の層間隔を小さくしていくと、各層からの反射光が迷光、フレアとなり信号にノイズの増加が生じ、フォーカシング、トラッキング誤差信号の検出や記録信号の再生時にノイズの影響で良好なサーボの印加や記録信号検出ができないという問題点がある。
また、特許文献３ではピンホールを光検出器の集光レンズの焦点位置に設けているため、記録信号検出のみノイズの影響は除去可能であるが、フォーカストラック誤差信号はノイズが多く安定してサーボの印加ができないという問題点がある。
本発明は上記のような問題点を解決するためになされたものであって、高密度多層光記録再生に適し、迷光や散乱ノイズの除去が可能で安定してサーボの印加及び記録信号の再生が可能な光情報記録再生装置を提供する。また、上記に加え、光の利用効率を高くすることができる記録媒体を提供する。
【課題を解決するための手段】
【０００４】
上記課題を解決するため、本発明の請求項１記載の発明は、ガイドトラックを設けた複数のトラック層及び記録層からなる記録媒体に情報を記録し、また記録された情報を再生する光情報記録再生装置において、トラック層にサーボを印加するための第１ビーム発生機構と前記トラック層の上下にある記録再生層に記録再生を行うための第２ビーム発生機構とを備え、前記第１ビーム発生機構は第１光源と、該第１光源から出射した光を光スポットとして記録媒体に照射する第１光学系と、フォーカストラック制御機構とからなり、フォーカストラック制御は第１光学系内に配置された第１ピンホールを通した光ビームで行い、前記第２ビーム発生機構は第２光源と、該第２光源から出射した光を光スポットとして記録媒体に照射する第２光学系と、光スポットの位置制御装置とからなり、第２光学系内に配置された第２ピンホールを通した光ビームで光信号を検出したことを特徴とする。
請求項２記載の発明は、請求項１記載の発明に加え、前記第２ビーム発生装置において、第２光源に対して光学的に共焦な位置から僅かに光軸上を互いに前後した位置に２つの第２ピンホールを配置した焦点誤差検出信号検出手段を備え、第２ビーム発生機構の光スポット位置制御を行ったことを特徴とする。
請求項３記載の発明は、請求項１又は２記載の発明に加え、前記第２ビーム発生装置に収差補整手段を備えたことを特徴とする。
請求項４記載の発明は、請求項１乃至３記載の発明に加え、第１光源と第２光源の波長を異ならしめ、波長分別手段を用いて第１光源からのビームと第２光源からのビームとを結合及び分離を行うことを特徴とする。
【０００５】
請求項５記載の発明は、請求項１乃至４記載の発明に加え、第２ビーム発生機構において、第２ビーム発生装置からの光スポットを記録媒体の記録層に対して垂直な方向に移動させ、該記録媒体からの反射光の変化から記録層数をカウントするレンズ駆動制御及びカウンタ機構を備えたことを特徴とする。
請求項６記載の発明は、請求項１乃至５記載の発明に加え、第１ビーム発生機構において、フォーカシング誤差信号の検出手段として非点収差法を用いたことを特徴とする。
請求項７記載の発明は、請求項１乃至６記載の発明に加え、前記トラック層の上下にある記録再生層に記録再生を行うための第３ビーム発生機構を備え、該第３ビーム発生機構は第３光源と、該第３光源から出射した光を光スポットとして記録媒体に照射する第３光学系と、光スポットの位置制御装置とからなり、第３光学系内に配置された第３ピンホールを通した光ビームで光信号を検出したことを特徴とする。
請求項８記載の発明は、ガイドトラックを設けた１層のトラック層及び複数の記録層からなる積層構造を基本単位とし、該基本単位の構造が多段に積層されて構成されていることを特徴とする。
請求項９記載の発明は、前記記録媒体のトラック層の反射率は記録層の反射率に対して高く設定したことを特徴とする。
【発明の効果】
【０００６】
請求項１の光情報記録再生装置は、フォーカス、トラック誤差信号の検出及び記録信号の再生時に迷光、フレア等の除去が可能になり、したがって、安定したサーボの印加が可能となると共に、再生信号の明光によるノイズの発生を少なくすることができる。
請求項２の光情報記録再生装置は、請求項１記載の光情報記録再生装置の作用効果に加えて、第１ビームに対する第２ビームの位置を相対的に決めるのではなく、焦点誤差信号検出手段の信号により第２ビーム単独で位置決めすることが可能である。これにより、第２ビームの焦点位置がより精密に制御することができ、層の間隔が小さい高密度な記録層からも信号の再生が確実に行うことができる。
請求項３の光情報記録再生装置は、請求項１〜２記載の光情報記録再生装置の作用効果に加えて、第１及び第２の光ビームのビーム径が、記録層の深さ方向の位置の違いにより収差量が異なり、ビーム径が変化する現象を補整することができる。このため記録層が異なっても記録マークの形状が大きく変化しないようにでき、このため記録再生時の記録信号の劣化を防ぐ事ができる。
請求項４の光情報記録再生装置は、請求項１〜３記載の光情報記録再生装置の作用効果に加えて、波長分別手段により、複数のビームを損失無く結合、分離することができる。このため本光情報記録再生装置の光利用効率を向上させることができる。
請求項５の光情報記録再生装置は、請求項１〜４記載の光情報記録再生装置の作用効果に加えて、多層の記録層の層を順番に数え、各層に対して光ビームの位置を知ることができる。このためアクセス速度の向上が見込める。
【０００７】
請求項６の光情報記録再生装置は、請求項１〜５記載の光情報記録再生装置の作用効果に加えて、他の方法、例えばナイフエッジ法等に比べ、非点収差法の特徴であるビームの対称性による、ノイズに強くより安定したサーボの印加が可能になる。
請求項７の光情報記録再生装置は、請求項１〜６記載の光情報記録再生装置の作用効果に加えて、より多くの情報の同時記録再生が可能になり、記録再生の速度を向上させることができる。
請求項８の記録媒体は周期的に同じ構造が積層されて構成されているため、多層の記録層が形成されていながらトラッキングも可能であり、構造の作製が比較的容易な構造となっている。すなわち作製コストを低減することが可能になる。
請求項９の記録媒体は請求項８記載の記録媒体の作用効果に加えて、多層の記録層を有するフォーカス、トラック誤差信号の検出時において、トラック層の周囲の記録層からの反射光の量を、トラック層の反射光の光量に比べてより小さく出来るため、フォーカス、トラック誤差信号の検出及び記録信号の再生時に迷光、フレア等の除去が更に良好に可能になり、安定したサーボの印加が可能になる。
【発明を実施するための最良の形態】
【０００８】
以下、図面を参照しながら本発明の実施の形態について述べる。
図１及び図２を用いて本発明にかかる光情報記録再生装置の第１の実施例について説明する。図１は本発明の光情報記録再生装置に用いる光記録媒体の構造を示した図であり、１は記録層、２は中間層、３はトラック層、４は記録マーク（データビット）である。図示したように複数（図では５層）の記録層１が積層された多層構造となっていると共に、各記録層１の間に中間層２が形成されている。更にある程度の数の記録層１及び中間層２に対して、ガイドトラック用のトラック層３が１層形成されている。
このように構成した記録層１、中間層２及びトラック層３からなる積層構造のものを基本単位とし、該基本単位の構造が更に重ね合わせられて周期的な構造を形成している。記録層１は例えば屈折率及び吸収率の両方或いはそのうちのどちらか一方、若しくは散乱の状態が光照射により変化し、結果として記録層へ照射された光ビームの反射率が変化するような材料により構成している。中間層２は光源の波長に対して低吸収な材料からなり、記録層１の間に形成して記録層１同士を隔てる役割を持つ。さらに複数の記録層１、中間層２からなる構造に対して、一つのトラック層３が形成されている。
このトラック層３は図１の例では、グルーブ形状のトラックが形成されている。この形状の作製方法はエッチング、イオンミーリング、成型射出、型によるインプリント法等が考えられる。トラック層３の材料はこの層において反射率がある程度あるように屈折率が中間層２に対して異なる必要がある。本実施例においては、記録層１における反射率に比べて、相対的に高くしており、例えば、信号再生時における光源波長に対して、１％程度の反射率のものを用いている。一方、記録層１は例えば０．１％程度としている。しかしこれに限らず、記録層１の反射率とトラック層３の反射率とが同じくらいのレベルであってもかまわない。なお、本実施例において記録層１の反射率が比較的小さい理由はかなり多層の構成を想定しているためである。また、トラック層３としては、光ビームの位相を変化させるような構造であれば良く、トラック状に、別の材料を装荷するような構造を形成しても良い。
光記録媒体の記録層１として、無機材料、カルコゲン系相変化材料、有機色素、有機材料（フォトクロミック材料、エレクトロクロミック材料、サーモクロミック材料、フォトポリマー、その他）が適用できる。また中間層２としては有機無機系の透明材料が適用可能である。更にトラック層３としては中間層２と異なる材質であって、例えば高屈折率の無機、有機系のアモルファス、多結晶等の透明材料や薄い金属層等が適用できる。
【０００９】
図２は図１に示した光記録媒体への信号記録再生を行う装置の構成を示す図である。同図において１１は光源（第１光源）、１２はレンズ、１３は偏光ビームスプリッタ、１４はビームスプリッタ、１５は１／４波長板、１６は対物レンズ、１７は集光レンズ、１８はピンホール（第１ピンホール）、１９及び２０は集光レンズ、２１はシリンドリカルレンズ、２２は４分割光検出器である。
また、２３は光源（第２光源）、２４はレンズ、２５は偏光ビームスプリッタ、２６及び２７は集光レンズ、２８は集光レンズ、２９はピンホール、３０は光検出器である。なお、同図において光記録媒体は模式的に示しており、簡略のため複数の記録層１と１層のトラック層３の構成のみを表示している。
このように構成した信号記録再生装置では、光源１１からの出射光はレンズ１２、偏光ビームスプリッタ１３、ビームスプリッタ１４、１／４波長板１５、対物レンズ１６を介して光記録媒体中のトラック層３のトラック部分に集光する。トラック層３のトラック部分からの反射光は対物レンズ１６、１／４波長板１５、ビームスプリッタ１４を通って偏光ビームスプリッタ１３により反射され、集光レンズ１７、ピンホール１８、集光レンズ１９及び２０を通り、シリンドリカルレンズ２１を通って４分割光検出器２２上に集光する。
集光レンズ２０とシリンドリカルレンズ２１により集光した光線は非点収差を生じ、２つの焦点を持つ。この２つの焦点位置の間に、４分割光検出器２２を配置する。また集光レン１７及び１９の間にはピンホール１８を配置し、このピンホール１８の径は、例えば集光レンズ１７の集光スポット径に対してやや大きめに設定している。
したがって、光源１１からの光ビームが光記録媒体のトラック層３に焦点が合わなくても、戻り光がピンホール１８を通過できるようにしている。なお、光源１１からの出射光を光記録媒体のトラック層３に導き、またトラック層３からの反射光を検出するまでの構成、すなわち、レンズ１２、偏光ビームスプリッタ１３、ビームスプリッタ１４、１／４波長板１５、対物レンズ１６、集光レンズ１７、ピンホール１８、集光レンズ１９、２０、シリンドリカルレンズ２１、４分割光検出器２２を第１光学系といい、前記第１光源と第１光学系と合わせて第１ビーム発生機構という。また、４分割光検出器２２の出力に基づいてフォーカストラック制御機構（図示を省略）により対物レンズ１６を駆動し、第１ビーム発生機構の光ビームをトラック層に合焦させることができる。
【００１０】
次に光源１１とは別の光源２３（第２光源）からの出射光は、レンズ２４を通過後、偏光ビームスプリッタ２５で反射し、その後、集光レンズ２６及び２７を通り、ビームスプリッタ１４で反射し、１／４波長板１５を通って対物レンズ１６により光記録媒体中の記録層１に集光する。対物レンズ１６はコイル等の位置制御機構がついており、位置の制御が可能である。
光記録媒体の記録層１からの反射光は対物レンズ１６、１／４波長板１５、ビームスプリッタ１４を通って反射し、集光レンズ２７及び２６を通り、さらに偏光ビームスプリッタ２５を透過して集光レンズ２８、ピンホール２９（第２ピンホール）を経て光検出器３０上に集光する。
ここで光源２３とピンホール２９の位置は光学的に共焦の配置となっている。さらに集光レンズ２６及び２７はビームエキスパンダを形成しており、位置制御装置として機能し、お互いの位置を光軸に沿って変化させることにより、光記録媒体内で結焦させる焦点位置を変化させることが出来る。すなわち集光レンズ２６及び２７の間隔を制御することにより、光源２３からの光ビームの集光位置を光軸に沿って調節することが可能である。またピンホール２９はその径が集光レンズ２８の集光スポット径と同じレベルか、その前後のレベルに調整されている必要がある。なお、光源２３からの出射光を光記録媒体の記録層１に導き、また記録層１からの反射光を検出するまでの構成、すなわち、レンズ２４、偏光ビームスプリッタ２５、集光レンズ２６、２７、ビームスプリッタ１４、１／４波長板１５、対物レンズ１６、集光レンズ２８、ピンホール２９、光検出器３０を第２光学系といい、該第２光学系と第２光源とを第２ビーム発生機構という。
【００１１】
このような構成では、光源１１からの出射光による光ビームをトラック層３上のトラックに焦点を合わせたまま、光源２３からの光ビームを、光源１１からの光ビームによる集光スポットから相対的にある一定の光軸上の距離だけ離れるように、集光レンズ２６及び２７の間隔を制御し調整しておけば、任意の記録層１上に集光させることが出来る。光源１１からの出射光は４分割光検出器２２の信号から非点収差法によるフォーカス誤差信号と、プッシュプル法によるトラック誤差信号を得ることが出来る。このため対物レンズ１６を制御することが出来る。
このように構成した光情報記録再生装置では、第１ビーム発生機構においてはピンホール１８を通した光ビームでフォーカス、トラック制御を行い、また第２ビーム発生機構では第１ビーム発生機構とは別に集光レンズ２６、２７により光スポットの位置を制御することができ、更にピンホール２９を介して光信号を検出するので、フォーカス、トラック誤差信号の検出及び記録信号の再生時に迷光、フレア等の除去が可能になり、安定したサーボの印加が可能になり、かつ再生信号の明光によるノイズの発生を少なくすることができる。
【００１２】
図３は本発明に係る光情報記録再生装置の他の実施の形態を示す図であり、図２に示した実施例と同一の部位には同一の符号を付す。
この第２の実施例が上記第１の実施例と異なる点は集光レンズ２６及び２７の代わりに、凹レンズ３１及び集光レンズ２６によるビームエキスパンダ（位置制御装置）を用いており、更に液晶素子等による収差補整素子３２（収差補整手段）を追加している点である。
この相違点以外の構成及び動作原理は実施例１と同一である。本実施例においては、凹レンズ３１及び集光レンズ２６によりビームエキスパンダを形成しており、お互いの位置を光軸に沿って変化させることにより、光記録媒体内で結焦させる焦点位置を変化させることが出来る。
更に液晶素子等による収差補整素子３２の効果で、異なる記録層１上に集光スポットが移動したときにおいても集光スポットの変化を抑えることが可能になる。ここで収差補整素子３２は液晶を用いて面内の光学的位相を調節するようになっている。しかし、これに限らず集光レンズ等の組み合わせによる収差補整機構を用いても良い。
【００１３】
図４は本発明に係る光情報記録再生装置の他の実施の形態を示す図であり、図２或いは図３に示した実施例と同一の部位には同一の符号を付す。
この第３の実施例が前記第２の実施例と異なる点は、集光レンズ２８の後方にハーフミラー３３を設け、集光レンズ２８からの光を２分割し、さらに別のピンホール３４（第２ピンホール）と光検出器３５を備えている点である。ピンホール３４はピンホール２９とほぼ同様の径を持ち、光源２３に対して光学的に共焦な位置から僅かに光軸上を互いに前後した位置に配置されている。この更にそれぞれのピンホール２９、３４の後方にある光検出器３０、３５により戻り光が検出される。この際、光検出器３０、３５の差動出力を検知し、集光レンズ２８の焦点が光源２３と光学的に共焦な位置にあるとき、差動出力を０としておくと、差動出力の符号（＋、−）により、光源２３からの光ビームの集光スポットが、正確に記録層１上にあるか、光軸上のその前後の位置にあるかがが判定でき、この信号を基に凹レンズ３１及び集光レンズ２６の間隔を制御することが出来る。これ以外の構成、動作は実施例２と同様である。
このように構成することにより、差動出力信号により第２ビーム発生機構のみで第２ビームの焦点位置を精密に制御することができ、層の間隔が小さい高密度な記録層からも信号の再生が確実に行うことができる。
【００１４】
図５は本発明に係る光情報記録再生装置の他の実施の形態を示す図であり、図２〜図４に示した実施例と同一の部位には同一の符号を付す。
この第４の実施例が前記第２の実施例と異なる点は、収差補整素子３２を１／４波長板１５とビームスプリッタ１４の間に移動した点であり、このように構成しても実施例２と同様の作用効果をえることができる。収差補整素子３２の設置個所が異なる点以外は構成が同一で、動作も同一である。
このように構成することにより、第１ビーム発生機構及び第２ビーム発生機構のそれぞれのビーム径が、記録層の深さ方向の位置の違いにより収差量が異なることが原因で変化する現象を補整することができる。このため記録層が異なっても記録マーク４の形状が大きく変化せず、記録再生時の記録信号の劣化を防ぐ事ができる。
図６は本発明に係る光情報記録再生装置の他の実施の形態を示す図であり、図２〜図５に示した実施例と同一の部位には同一の符号を付す。
この第５の実施例が前記第２の実施例と異なる点は、集光レンズ１７、１９及びピンホール１８を偏光プリズム１３とビームスプリッタ１４の間に配置した点である。このように構成した光情報記録再生装置は第２の実施例と同様の動作を行う。
【００１５】
図７は本発明に係る光情報記録再生装置の他の実施の形態を示す図であり、図２〜図６に示した実施例と同一の部位には同一の符号を付す。
この第６の実施例が前記第２の実施例と異なる点は、ビームスプリッタ１４の代わりにダイクロイックミラー３５（波長分別手段）を偏光プリズム１３と１／４波長板１５との間に配置した点である。
この実施例では光源１１と光源２３との波長を異ならしめると共に、ダイクロイックミラー３５において光源１１の波長の光を透過し、光源２３の波長の光を反射するように設計することにより波長分別手段として機能させる。ダイクロイックミラー３５の構造としては誘電体多層膜を基板に積層して作製される。
このように構成した光情報記録再生装置は第２の実施例と同様の動作を行う。なお、ダイクロイックミラー３５の代わりにダイクロイックプリズムやグレーティングビームスプリッタ等の波長に応じて波長分別機能を呈す部品を用いることも可能である。
【００１６】
図８は本発明に係る光情報記録再生装置の他の実施の形態を示す図であり、図２〜図７に示した実施例と同一の部位には同一の符号を付す。
この第７の実施例が前記第１の実施例と異なる点は、集光レンズ２６に磁石或いは電磁コイル若しくは外部電磁コイル３６を設けると共に、光検出器３０の出力に応じて電磁コイル３６等を制御するレンズ駆動制御及びカウンタ機構３７を設けた点である。
このように構成することにより、集光レンズ２６を左右に駆動し、集光ビームＢの位置を上下に変化させることができる。例えば、初めに集光ビームＢの位置をトラック層３上に来るように集光レンズ２６の位置を合わせておき、集光レンズ２６の位置を図において右方向に制御し移動させると、集光ビームＢはトラック層３から下方に移動し、各記録層７を通過する。このとき、記録層を集光ビームｂが通過する際に屈折率差により生じる反射率の変化を光検出器３０を介してレンズ駆動制御及びカウンタ機構３７で検出する。なお、反射率の変化をレンズ駆動制御及びカウンタ機構３７の上部に模式的に記載している。
このように反射率の変化の数をレンズ駆動制御及びカウンタ機構３７のカウンタ部で記録させることにより、現在の集光ビームＢの位置がトラック層３から数えて何番目の記録層若しくは記録層と記録層との間に位置するか判別することができる。これ以外の動作は第１実施例と同様である。
【００１７】
図９は本発明に係る光情報記録再生装置の他の実施の形態を示す図であり、図２〜図８に示した実施例と同一の部位には同一の符号を付す。
この第８の実施例が前記第１の実施例と異なる点は、第１ビーム発生機構、第２ビーム発生機構以外に第３ビーム発生機構を設けた点である（各部材の添え字がａのものが第２ビーム発生機構を構成する部品、添え字ｂのものが第３ビーム発生機構を構成する部品である）。
このように構成した光情報記録再生装置では対物レンズ１６から出射する集光ビームは各光源１１、２３ａ、２３ｂ（第３光源）に対応して集光ビームＡ、Ｂ１、Ｂ２の３個となる。なお、ピンホール２９ｂは第３ピンホールである。
すなわち、第１実施例の集光ビームを発生させる手段が１セット多くなった構成となっており、それ以外の構成および動作は同様である。また同様の手法で集光ビームを更に追加することも可能である。
このように構成することにより複数の記録層の情報を動じに記録再生することができ、記録再生の速度を向上することができる。
なお、第１の実施例（図２）、第４の実施例（図５）、第５の実施例（図６）、第６の実施例（図７）、第７の実施例（図８）、第８の実施例（図９）において、第３の実施例（図４）と同様に集光レンズ２８の後方にハーフミラー３３を設け、集光レンズ２８からの光を２分割し、さらに別のピンホール３４と光検出器３５を配置して、光検出器３０、３５の差動出力を検知するように構成しても良い。
【図面の簡単な説明】
【００１８】
【図１】本発明の光情報記録再生装置に用いる光記録媒体の構造を示した図。
【図２】本発明に係る光情報記録再生装置の第１の実施例を示す図。
【図３】本発明に係る光情報記録再生装置の第２の実施例を示す図。
【図４】本発明に係る光情報記録再生装置の第３の実施例を示す図。
【図５】本発明に係る光情報記録再生装置の第４の実施例を示す図。
【図６】本発明に係る光情報記録再生装置の第５の実施例を示す図。
【図７】本発明に係る光情報記録再生装置の第６の実施例を示す図。
【図８】本発明に係る光情報記録再生装置の第７の実施例を示す図。
【図９】本発明に係る光情報記録再生装置の第８の実施例を示す図。
【符号の説明】
【００１９】
１１  光源（第１光源）、１２、２４  レンズ、１３、２５  偏光ビームスプリッタ、１４  ビームスプリッタ、１５  １／４波長板、１６  対物レンズ、１７、２６、２７、２８  集光レンズ、１８  ピンホール（第１ピンホール）、１９、２０  集光レンズ、２１  シリンドリカルレンズ、２２  ４分割光検出器、２３  光源（第２光源）、２９  ピンホール（第２ピンホール）、３０  光検出器
【図１】
2006260669.tif 000003
【図２】
2006260669.tif 000004
【図３】
2006260669.tif 000005
【図４】
2006260669.tif 000006
【図５】
2006260669.tif 000007
【図６】
2006260669.tif 000008
【図７】
2006260669.tif 000009
【図８】
2006260669.tif 000010
【図９】
2006260669.tif 000011